(57)【要約】【課題】走行ガイドを挟んで消去ローラと印字ヘッドを配置したリライタブル記録媒体のプリンタにおいては、記録の消去および印字共に熱を利用するために、消去後に直ちに印字を行うプリンタン構造では消去の熱が直接もしくはリライタブル記録媒体を介して印字ヘッドに影響をあたえて印字品位に影響をあたえる問題がある。【解決手段】走行ガイドを耐熱性および比熱が大きく、熱による変形が小さい材料により構成し、ブラケットを比熱が小さく、放熱効果の大きい材料により構成し、消去ローラと印字ヘッドの間に冷却ファンを配置し、消去ローラと印字ヘッドの間に仕切り板を設けたことを特徴とする。【選択図】　　　　図１
2004142111.tif 000002
【特許請求の範囲】
【請求項１】
走行ガイドを挟んで消去ローラと印字ヘッドを配置したリライタブル記録媒体のプリンタにおいて、
走行ガイドを耐熱性および比熱が大きく、熱による変形が小さい材料により構成したことを特徴とするリライタブル記録媒体のプリンタ。
【請求項２】
消去ローラにつづいて印字ヘッドを配置し、該印字ヘッドをブラケットに取り付けたリライタブル記録媒体のプリンタにおいて、
ブラケットを比熱が小さく、放熱効果の大きい材料により構成したことを特徴とするリライタブル記録媒体のプリンタ。
【請求項３】
走行ガイドを挟んで消去ローラと印字ヘッドを配置したリライタブル記録媒体のプリンタにおいて、
消去ローラと印字ヘッドの間に冷却ファンを配置したことを特徴とするリライタブル記録媒体のプリンタ。
【請求項４】
消去ローラにつづいて印字ヘッドを配置したリライタブル記録媒体のプリンタにおいて、
消去ローラと印字ヘッドの間に仕切り板を設けたことを特徴とするリライタブル記録媒体のプリンタ。
【請求項５】
請求項１、請求項２または請求項３において、
消去ローラと印字ヘッドの間に仕切り板を設けたことを特徴とするリライタブル記録媒体のプリンタ。
【請求項６】
走行ガイドを挟んで消去ローラと印字ヘッドを配置し、該印字ヘッドをブラケットに取り付けたリライタブル記録媒体のプリンタにおいて、
走行ガイドを耐熱性および比熱が大きく、熱による変形が小さい材料により構成し、ブラケットを比熱が小さく、放熱効果の大きい材料により構成し、消去ローラと印字ヘッドの間に冷却ファンを配置し、消去ローラと印字ヘッドの間に仕切り板を設けたことを特徴とするリライタブル記録媒体のプリンタ。
【発明の詳細な説明】
【０００１】
【発明の属する技術分野】
本発明は、リライタブル記録媒体のプリンタに関する。
【０００２】
【従来の技術】
【特許文献１】
特開平７ー１２１６４２号公報
まず、一般にリライタブル記録媒体は、支持体上に、ロイコ染料と熱の作用によってロイコ染料に対して顕色性を呈する基と、減色性を呈する基を同一分子内に有する化合物である顕減色剤およびバインダー等からなる記録層を形成し、その表面に必要に応じて耐久性を向上させる保護層、紫外線保護層あるいは耐磨耗用の保護層等の保護層を重ねて構成してある。上記支持体は、一般的には合成樹脂フィルム状体である。
【０００３】
ロイコ染料は、フェノール性化合物と熱的に反応してロイコ染料のラクトン環が開環し、無色から有色に色変化をする。しかし、ラクトン環を開環した有色化合物は塩基性物質にふれると閉環してもとのラクトン環のある無色の化合物にもどる。
このように、顕減色剤とロイコ染料の可逆性によって、顕減色剤は無色のロイコ染料を、熱エネルギーの制御のみでラクトン環を開環して有色化合物にしたり、閉環して無色のロイコ染料にもどしたりすることが複数回繰り返してできる性質を利用してリライタブル記録媒体としてある。
【０００４】
このような構成のリライタブル記録媒体は、高温、短時間の第１の熱エネルギー、例えば１５０〜１８０°Ｃで１〜３ｍｓｅｃの熱エネルギーを与えるとその個所が例えば黒色（他に青色、赤色等がある。）になる。つぎに、低温、長時間の第２の熱エネルギー、例えば１３０〜１５０°Ｃで５ｍｓｅｃ〜２ｓｅｃの熱エネルギーを与えるとその個所の黒色は消去されることになる。
【０００５】
このようなリライタブル記録媒体に印字するプリンタは、一般に印字を消去する消去部と印字部とを有する構造となっている。
従来のプリンタを図６を用いて以下に説明する。
図において、１はプリンタであり、その内部は以下のような構造となっている。
【０００６】
２は消去ローラであり、つづいて金属製の走行ガイド３を介して金属製のブラケット４により印字ヘッド５が配置されている。６はスタッカである。
上記消去ローラ２にはローラ表面の温度を検知するサーミスタ７が設けてあり、印字ヘッド５にも温度を検知するサーミスタ８があり、印字ヘッド５周囲の温度を検知することができるようになっている。
【０００７】
そこで、矢印方向よりリライタブル記録媒体Ａを挿入すると、まず、消去ローラ２でリライタブル記録媒体に記録されている発色文字を消去する。
消去後、今度は印字ヘッド５により所定の印字を記録してスタッカ６に排出して終了する。
その際、消去ローラ２の温度は、サーミスタ７で検知すると共に印字ヘッド５周囲の温度を、サーミスタ８で検知し、このサーミスタ８で検知した温度により、温度が所定の温度より低いときは印字ヘッド５に印加するエネルギーを上げ、逆に温度が高いときには印加するエネルギーを下げる制御を行なって印字品位を一定に保つようにしている。
【０００８】
【発明が解決しようとする課題】
このような従来技術によると、消去ローラで消去されたリライタブル記録媒体が、走行ガイドを走行中に走行ガイドに接触して急冷されて発色してしまう場合があるという問題がある。
また、消去ローラで加熱消去されたリライタブル記録媒体が、その高い温度を保ったまま印字ヘッドに送られると、リライタブル記録媒体の熱が印字ヘッドに伝わり、サーミスタが実際の周囲の温度より高い温度を検知して印加するエネルギーを下げてしまい、印字（発色）がうすくなってしまうことがあるという問題がある。
【０００９】
さらに、長時間使用していると、消去ローラから発している熱によって印字ヘッド周囲の温度が上昇し、上記と同様に印字ヘッドのサーミスタが実際の周囲の温度より高い温度を検知して印加するエネルギーを下げてしまい、印字（発色）がうすくなってしまうことがあるという問題がある。
【００１０】
【課題を解決するための手段】
そこで、本発明は、走行ガイドを挟んで消去ローラと印字ヘッドを配置したリライタブル記録媒体のプリンタにおいて、走行ガイドを耐熱性および比熱が大きく、熱による変形が小さい材料により構成することを特徴とする。
また、ブラケットを比熱が小さく、放熱効果の大きい材料により構成することを特徴とする。
【００１１】
また、消去ローラと印字ヘッドの間に冷却ファンを配置することを特徴とする。
また、消去ローラと印字ヘッドの間に仕切り板を設けたことを特徴とする。
【００１２】
【発明の実施の形態】
以下に本発明の実施の形態例を図面を用いて説明する。
第１実施の形態例
図１は構造説明図である。なお、以下の説明において、上記従来技術の説明と同様の部位は同一の符号を用いて説明する。
【００１３】
図において、１１はプリンタであり、その内部は以下のような構造となっている。
２は消去ローラであり、つづいて比熱が高い材料製の走行ガイド１２を介して金属製もしくは合成樹脂製のブラケット１３により印字ヘッド５が配置されている。６はスタッカである。
【００１４】
上記比熱が高い材料製の走行ガイド１２の例としては合成樹脂があり、耐熱性が高く、熱し易く冷めにくく（比熱が高い）、熱による変形が小さい（熱膨張係数が小さい）等の性質を有する材質がよく、例えばＰＰＳ（ポリフェニレンスルフィド）であり、その耐熱温度は約２２０°Ｃである。
上記消去ローラ２にはローラ表面の温度を検知するサーミスタ７が設けてあり、印字ヘッド５にも温度を検知するサーミスタ８があり、印字ヘッド５周囲の温度を検知することができるようになっている。
【００１５】
上記のような構成によるプリンタの作用は、上記従来技術で説明した作用と同様であり、矢印方向よりリライタブル記録媒体Ａを挿入すると、まず、消去ローラ２でリライタブル記録媒体Ａに記録されている発色文字を消去する。
消去後、走行ガイド１２を走行して印字ヘッド５に運ばれ、その印字ヘッド５により所定の印字を行ってスタッカ６に排出して終了する。
【００１６】
このような発明によると、消去ローラ２で記録が消去されて熱せられたリライタブル記録媒体Ａが走行ガイド１２を走行中に接触しても急冷されるようなことがなく、媒体が発色してしまうようなことがない。
第２実施の形態例
図２は構造説明図である。なお、以下の説明において、上記従来技術の説明と同様の部位は同一の符号を用いて説明する。
【００１７】
図において、１４はプリンタであり、その内部は以下のような構造となっている。
２は消去ローラであり、つづいて走行ガイド３を介して金属製もしくは合成樹脂製のブラケット１５により印字ヘッド５が配置されている。６はスタッカである。
【００１８】
上記印字ヘッド５を支えるブラケット１５は、比熱が小さく、放熱降下の高い材料、例えば金属ならアルミニウムによって構成したり、金属板材にフィンを形成したり板材を波板状にしたりした放熱構造の材料とする。
なお、上記の構成においても、走行ガイド１２を上記第１実施の形態例に示したような比熱が高い材料製にしておくとよい。
【００１９】
上記消去ローラ２にはローラ表面の温度を検知するサーミスタ７が設けてあり、印字ヘッド５にも温度を検知するサーミスタ８があり、印字ヘッド５周囲の温度を検知することができるようになっている。
以上の構成によると、消去ローラ２によるリライタブル記録媒体Ａの記録の消去および印字ヘッド５による印字を上記と同様に行うことができる。
【００２０】
しかも、印字ヘッド５を支えるブラケット１５が比熱が小さい材料であるために、印字ヘッド５に溜まった熱を素早く放熱することができる。これによって、サーミスタ８は印字ヘッド５の周囲の温度を正確に検知することができ、印字ヘッド５は適正なエネルギーの印加によって、正しい印字濃度による印字を行うことができることになる。
【００２１】
第３実施の形態例
図３は構造説明図である。なお、以下の説明において、上記従来技術の説明と同様の部位は同一の符号を用いて説明する。
図において、１６はプリンタであり、その内部は以下のような構造となっている。
【００２２】
２は消去ローラであり、つづいて走行ガイド３を介して金属製もしくは合成樹脂製のブラケット４により印字ヘッド５が配置されている。６はスタッカである。
１７は消去ローラ２と印字ヘッド５間に配置した冷却ファンであり、消去ローラ２で記録が消去されて熱せられたリライタブル記録媒体Ａに向けて送風する。
【００２３】
なお、上記の構成において、走行ガイド３を上記第１実施の形態例に示したような比熱の高い材料製にしておくと一層よく、また、ブラケット４も上記第２実施の形態例に示したような比熱の小さい材料、例えばアルミニウム製等としておくとよい。
上記消去ローラ２にはローラ表面の温度を検知するサーミスタ７が設けてあり、印字ヘッド５にも温度を検知するサーミスタ８があり、印字ヘッド５周囲の温度を検知することができるようになっている。
【００２４】
以上の構成によると、消去ローラ２によるリライタブル記録媒体の記録の消去および印字ヘッド５による印字を上記と同様に行うことができる。
そこで、消去ローラ２によって記録が消去されたリライタブル記録媒体は加熱されているが、印字ヘッド５による印字までの間の走行ガイド３を走行中に冷却ファン１７によって冷却されることによってリライタブル記録媒体が走行ガイド１２を走行中に接触しても急冷されるようなことがなく、媒体が発色してしまうようなことがない。
【００２５】
さらに、消去ローラ２で加熱されたリライタブル記録媒体を冷却ファン１７によって冷却することにより、リライタブル記録媒体の熱が印字ヘッド５に伝わることを防ぐことができる。これによって、サーミスタ８は印字ヘッド５の周囲の温度を正確に検知することが可能となり、印字ヘッド５は適正なエネルギーの印加によって、適正な印字濃度による印字を行うことができることになる。
【００２６】
第４実施の形態例
図４は構造説明図である。なお、以下の説明において、上記従来技術の説明と同様の部位は同一の符号を用いて説明する。
図において、１８はプリンタであり、その内部は以下のような構造となっている。
【００２７】
２は消去ローラであり、つづいて金属製の走行ガイド３を介してブラケット４により印字ヘッド５が配置されている。６はスタッカである。
上記消去ローラ２にはローラ表面の温度を検知するサーミスタ７が設けてあり、印字ヘッド５にも温度を検知するサーミスタ８があり、印字ヘッド５周囲の温度を検知することができるようになっている。
【００２８】
１９は断熱材製もしくは断熱材を有する複合材製の仕切り板であり、消去ローラ２から印字ヘッドを隔離すためにプリンタ１８内を仕切るように配置し、これによって、プリンタ１８内部を消去ローラ２のある消去部と印字ヘッド５のある印字部とに温度上遮断分割している。
この仕切り板１９の構造例としては、図５に示す如く、中央の金属板２０の外面を例えばグラスウール等の断熱効果のある断熱材２１で覆った構造である。
【００２９】
さらに、プリンタ内部壁面も断熱材２１で覆って置くとよい。
なお、上記の構成において、走行ガイド３を上記第１実施の形態例に示したような比熱の高い材料製にしておくとよく、また、ブラケット４も上記第２実施の形態例に示したような比熱の小さい材料、例えばアルミニウム製等としておくとよく、また、ブラケット４も上記第２実施の形態例に示したような比熱の小さい材料、例えばアルミニウム製等としておくとよい。
【００３０】
さらに、上記第３実施の形態例に示したように走行ガイド３に沿って冷却ファン１７を設けておくと一層よい。
以上の構成によると、消去ローラ２によるリライタブル記録媒体Ａの記録の消去および印字ヘッド５による印字を上記と同様に行うことができる。
しかも、消去ローラ２と印字ヘッド５とを仕切り板１９によって分割してあるために、長時間使用しても消去ローラ２が発した熱を遮断して印字ヘッド５側に伝えにくくしてある。これによって、サーミスタ８は印字ヘッド５の周囲の温度を正確に検知することが可能となり、印字ヘッド５は適正なエネルギーの印加によって、正しい印字濃度による印字を行うことができる。
【００３１】
以上、各実施の形態例をプリンタを用いて説明したが、必ずしもプリンタに限定するものではなく、プリンタを内蔵した表示装置等のリライタブル記録媒体を用いる各種装置に適用することができる。
【００３２】
【発明の効果】
以上詳細に説明した本発明によると、印字ヘッド周囲への消去ローラの熱や加熱されたリライタブル記録媒体の熱の影響をなくすか軽減させて印字ヘッド周囲の温度の上昇を防ぎ、印字ヘッド周囲の正しいかそれに近い温度状況を検出して印字ヘッドに適正なエネルギーの印加によって、正しい印字濃度による印字を行うことができる効果を有する。
【図面の簡単な説明】
【図１】第１実施の形態例を示す構造説明図
【図２】第２実施の形態例を示す構造説明図
【図３】第３実施の形態例を示す構造説明図
【図４】第４実施の形態例を示す構造説明図
【図５】仕切り板の構成例を示す断面説明図
【図６】従来例を示す構造説明図
【符号の説明】
２　消去ローラ
３　走行ガイド
４　ブラケット
５　印字ヘッド
６　スタッカ
７　サーミスタ
８　サーミスタ
１１　プリンタ
１２　走行ガイド
１３　ブラケット
１４　プリンタ
１５　ブラケット
１６　プリンタで
１７　冷却ファン
１８　プリンタ
１９　仕切り板
【図１】
2004142111.tif 000003
【図２】
2004142111.tif 000004
【図３】
2004142111.tif 000005
【図４】
2004142111.tif 000006
【図５】
2004142111.tif 000007
【図６】
2004142111.tif 000008